(57)【要約】【課題】  ２４Ｆプルダウン記録により以前に記録したシーンに新たなシーンをつなぎ記録する際に、そのつなぎ部分の画像が壊れてしまうことを確実に防止できるようにする。【解決手段】  記録フレームレートを検出する記録フレームレート検出回路と、外部から入力されるタイムコードを記録するかあるいは内部生成するタイムコードを記録するかの設定状態を検出するタイムコード記録モード検出回路と、外部からタイムコードを入力するタイムコード入力回路と、タイムコードを内部生成するタイムコード生成回路と、タイムコード入力回路又はタイムコード生成回路のいずれからタイムコードを供給するか選択するタイムコード選択回路とを備え、２４Ｆプルダウン記録時には、タイムコード入力回路からのタイムコードの供給を強制的に禁止し、タイムコード生成回路からのタイムコードの供給を選択する。【選択図】  図１
2007067953.tif 000002
【特許請求の範囲】
【請求項１】
画像信号にタイムコードを付加して記録する画像記録装置であって、
記録媒体に記録する画像信号の記録フレームレートを検出する記録フレームレート検出手段と、
外部から入力される上記タイムコードを記録するか、あるいは内部生成する上記タイムコードを記録するかの設定状態を検出するタイムコード記録モード検出手段と、
外部からの上記タイムコードを入力するタイムコード入力手段と、
上記タイムコードを内部生成するタイムコード生成手段と、
上記記録フレームレート検出手段及びタイムコード記録モード検出手段の検出結果に基づいて、上記タイムコード入力手段又は上記タイムコード生成手段のいずれから上記タイムコードを供給するか選択するタイムコード選択手段と、
上記タイムコード選択手段により選択されたタイムコードを上記画像信号に付加して上記記録媒体に記録する記録手段とを備え、
第１の方式で撮影された画像信号をフレームレートが異なる第２の方式の画像信号に変換して上記記録媒体に記録する場合には、上記タイムコード選択手段は、上記タイムコード記録モード検出手段での検出結果にかかわらず、上記タイムコード生成手段からの上記タイムコードの供給を選択することを特徴とする画像記録装置。
【請求項２】
第１の方式で撮影された画像信号を第２の方式に変換して記録媒体に記録する機能と、外部からタイムコードを入力し画像信号に付加して記録する機能とを有する画像記録装置であって、
記録フレームレートを検出する記録フレームレート検出手段と、
外部から入力される上記タイムコードを記録するか、あるいは内部生成する上記タイムコードを記録するかの設定状態を検出するタイムコード記録モード検出手段と、
外部からの上記タイムコードを入力するタイムコード入力手段と、
上記タイムコードを内部生成するタイムコード生成手段と、
上記画像信号を上記記録媒体に記録する場合に、上記タイムコード生成手段により生成したタイムコード又は上記タイムコード入力手段により入力されたタイムコードのいずれかのタイムコードを選択するタイムコード選択手段と、
上記タイムコード入力手段の入力動作を制御するタイムコード入力制御手段とを備えることを特徴とする画像記録装置。
【請求項３】
上記第１の方式である毎秒２４フレームの記録フレームレート方式で撮影された画像信号を、上記第２の方式である毎秒６０フィールドの記録フレームレート方式に変換して記録する２４Ｆプルダウン記録機能を有することを特徴とする請求項２記載の画像記録装置。
【請求項４】
上記タイムコード入力制御手段は、上記記録フレームレート検出手段での検出結果が２４Ｆプルダウン記録である場合には、外部からの上記タイムコードの入力動作を停止するよう上記タイムコード入力手段を制御することを特徴とする請求項３記載の画像記録装置。
【請求項５】
上記タイムコード選択手段は、上記記録フレームレート検出手段での検出結果が２４Ｆプルダウン記録である場合には、上記タイムコード記録モード検出手段での検出結果が外部から入力されるタイムコードを記録するモードであっても、上記タイムコード生成手段を動作させ、内部生成したタイムコードを記録することを特徴とする請求項３又は４記載の画像記録装置。
【請求項６】
上記記録フレームレート検出手段は、上記２４Ｆプルダウン記録方式を含む少なくとも１つ以上の記録フレームレートの検出を可能とすることを特徴とする請求項３〜５の何れか１項に記載の画像記録装置。
【請求項７】
上記記録フレームレート検出手段での検出結果及び上記タイムコード記録モード検出手段での検出結果に基づいて、上記タイムコードの記録に係る動作状態をユーザーに認識させるための表示情報を設定する表示画面制御手段と、
上記表示画面制御手段により設定された表示情報から表示画面データを生成する表示画面生成手段とを備えることを特徴とする請求項２記載の画像記録装置。
【請求項８】
上記表示画面制御手段は、上記タイムコードの記録に係る動作の制限情報を含む複数の情報を基に上記表示情報を設定することを可能とする請求項７記載の画像記録装置。
【請求項９】
毎秒６０フィールドの第１の画像信号と、毎秒２４フレームの画像信号を毎秒６０フィールドに変換して得た第２の画像信号とを生成する生成手段と、
上記画像信号に付加して記録するタイムコードを発生するタイムコード発生手段と、
外部から上記タイムコードを入力するタイムコード入力手段と、
上記タイムコード発生手段により発生されたタイムコード又は上記タイムコード入力手段により入力されたタイムコードと、上記第１の画像信号又は上記第２の画像信号とをテープ状記録媒体に記録する記録手段と、
上記第１の画像信号を記録する場合には上記タイムコード発生手段により発生されたタイムコードと上記タイムコード入力手段により入力されたタイムコードのうちの一方を前上記第１の画像信号とともに記録し、上記第２の画像信号を記録する場合には上記タイムコード入力手段により入力されたタイムコードの記録を禁止して上記タイムコード発生手段により発生されたタイムコードを上記第２の画像信号とともに記録するよう上記記録手段を制御する制御手段とを備えることを特徴とする画像記録装置。
【請求項１０】
上記制御手段は、上記テープ状記録媒体に記録されている上記第２の画像信号に引き続いて新たに上記第２の画像信号をつなぎ記録する際、５フレームを単位として記録開始位置を決定するとともに、上記５フレーム単位の先頭のフレームに対して所定値のタイムコードを割り当てて記録することを特徴とする請求項９記載の画像記録装置。
【請求項１１】
画像信号にタイムコードを付加して記録媒体に記録する画像記録方法であって、
記録媒体に記録する画像信号の記録フレームレートを検出する記録フレームレート検出工程と、
外部から入力される上記タイムコードを記録するか、あるいは内部生成する上記タイムコードを記録するかの設定状態を検出するタイムコード記録モード検出工程と、
上記記録フレームレート検出工程及びタイムコード記録モード検出工程の検出結果に基づいて、外部からの上記タイムコードを入力するタイムコード入力手段又は上記タイムコードを内部生成するタイムコード生成手段のいずれから上記タイムコードを供給するか選択するタイムコード選択工程と、
上記タイムコード選択工程にて選択されたタイムコードを上記画像信号に付加して上記記録媒体に記録する記録工程とを有し、
第１の方式で撮影された画像信号をフレームレートが異なる第２の方式の画像信号に変換して上記記録媒体に記録する場合には、上記タイムコード選択工程では、上記タイムコード記録モード検出工程での検出結果にかかわらず、上記タイムコード生成手段からの上記タイムコードの供給を選択することを特徴とする画像記録方法。
【請求項１２】
画像信号にタイムコードを付加して記録媒体に記録する画像記録処理をコンピュータに実行させるプログラムであって、
記録媒体に記録する画像信号の記録フレームレートを検出する記録フレームレート検出ステップと、
外部から入力される上記タイムコードを記録するか、あるいは内部生成する上記タイムコードを記録するかの設定状態を検出するタイムコード記録モード検出ステップと、
上記記録フレームレート検出ステップ及びタイムコード記録モード検出ステップの検出結果に基づいて、外部からの上記タイムコードを入力するタイムコード入力手段又は上記タイムコードを内部生成するタイムコード生成手段のいずれから上記タイムコードを供給するか選択するタイムコード選択ステップと、
上記タイムコード選択ステップにて選択されたタイムコードを上記画像信号に付加して上記記録媒体に記録する記録ステップとを有し、
第１の方式で撮影された画像信号をフレームレートが異なる第２の方式の画像信号に変換して上記記録媒体に記録する場合には、上記タイムコード選択ステップでは、上記タイムコード記録モード検出ステップでの検出結果にかかわらず、上記タイムコード生成手段からの上記タイムコードの供給を選択することを特徴とするプログラム。
【請求項１３】
請求項１２記載のプログラムを記録したことを特徴とするコンピュータ読み取り可能な記録媒体。
【発明の詳細な説明】
【技術分野】
【０００１】
本発明は、画像記録装置及び画像記録方法に関し、記録画像に付加して記録されるタイムコードの記録技術に関する。
【背景技術】
【０００２】
従来、画像を撮影して磁気テープ等の記録媒体に記録するビデオカメラが知られている。この種のビデオカメラは、例えば、ＮＴＳＣ方式であれば毎秒６０フィールドの画像を撮影し記録している。近年、このような毎秒６０フィールドの画像に代わって、毎秒２４フレームの画像を撮影し、これを毎秒３０フレーム又は毎秒６０フィールドの画像信号に変換して記録する機能を持つものが登場している（例えば、特許文献１参照。）。
【０００３】
毎秒２４フレーム（２４ｐ：２４フレーム・プログレッシブ）で撮影された画像を毎秒６０フィールド（６０ｉ：６０フィールド・インターレース）の画像信号に変換し記録する場合、“２：３”プルダウンや“２：３：３：２”プルダウン方式が使用されている。
“２：３”プルダウン及び“２：３：３：２”プルダウンでの記録方式について説明する。２４ｐ方式で撮影された画像のある連続する４フレームを順にＡ、Ｂ、Ｃ、Ｄと表し、この４フレームを６０ｉ方式に時間軸を合わせながら変換していく場合を説明する。
【０００４】
“２：３”プルダウン方式では、ＡフレームがＡｏ、Ａｅの２つのフィールドで構成され、Ａフレームに続くＢフレームがＢｏ、Ｂｅ、Ｂｏの３つのフィールドで構成される。同様に、Ｂフレームに続くＣフレームがＣｏ、Ｃｅの２つのフィールドで構成され、Ｃフレームに続くＤフレームがＤｅ、Ｄｏ、Ｄｅの３フィールドで構成される。また、“２：３：３：２”プルダウン方式では、Ｂフレーム及びＣフレームがＢｏ、Ｂｅ、Ｂｏ、及びＣｅ、Ｃｏ、Ｃｅのそれぞれ３つのフィールドで構成され、Ａフレーム及びＤフレームがＡｏ、Ａｅ、及びＤｏ、Ｄｅのそれぞれ２つのフィールドで構成される。以上のようにして、“２：３”プルダウン方式及び“２：３：３：２”プルダウン方式においては、４フレームの画像が１０フィールドの画像信号に変換される。
【０００５】
また、画像信号の記録時に付加されるタイムコードは、連続する４フレームの先頭フレームにフレーム番号が５の倍数となるタイムコードが割り当てられるよう画像に対する位相合わせが行われる。すなわち、“２：３”プルダウン方式、及び“２：３：３：２”プルダウン方式ともに、上述した説明におけるＡフレームは、フレーム番号が５の整数倍となるタイムコードが常に割り当てられて記録される。
【０００６】
次に、２４ｐ方式で撮影された画像を６０ｉ方式の画像信号に変換して磁気テープ上に記録した（以下、この機能を「２４Ｆプルダウン記録」とも称す。）シーンに、新たに撮影したシーンを２４Ｆプルダウン記録でつなぎ記録する方法について説明する。この場合、タイムコードのフレーム番号が“０”又は“５”のフレームを検出し、そのフレームの後に次のシーンが記録開始されることで、すでに記録されたシーンの連続する４フレームの構成を崩すことなく、新しいシーンをつなぎ記録することが可能となる。すなわち、すでに記録されたシーンの連続する４フレームを順にＡ、Ｂ、Ｃ、Ｄとし、新たに記録されるシーンの連続する４フレームを順にＨ、Ｉ、Ｊ、Ｋとすると、すでに記録したシーンのＤフレームの後に、新たに記録するシーンのＨフレームが記録される。
【０００７】
また、装置外部からのタイムコード入力を可能にし、入力されるタイムコードを、２４ｐ方式の画像信号をプルダウン変換して得られた６０ｉ方式の画像信号に付加して記録する機能も考えられている。
【０００８】
【特許文献１】特開平９−１２１３６０号公報
【発明の開示】
【発明が解決しようとする課題】
【０００９】
２４ｐ方式で撮影された画像を６０ｉ方式の画像信号に変換し、その画像信号に外部から入力されたタイムコードを付加して記録する場合、外部から入力されるタイムコードの入力タイミングは不定である。そのため、連続する４フレームの先頭フレームに対し、必ずしもフレーム番号が５の倍数となるタイムコードを付加することができない。
【００１０】
したがって、外部から入力されたタイムコードを付加して２４Ｆプルダウン記録された２４ｐ方式の画像信号に、フレーム番号が５の整数倍となる位置で新しいシーンをつなぎ記録すると、つなぎ位置が４フレームシーケンスの境界位置にならないことがある。その結果、再生時において、連続する４フレームの構成が崩れてしまい、前に記録したシーンと後に記録したシーンとのつなぎ部分の画像が壊れるという問題が生じる。
【００１１】
本発明は、２４Ｆプルダウン記録により以前に記録したシーンに新たなシーンをつなぎ記録する際に、そのつなぎ部分の画像が壊れてしまうことを確実に防止できるようにすることを目的とする。
【課題を解決するための手段】
【００１２】
本発明の画像記録装置は、画像信号にタイムコードを付加して記録する画像記録装置であって、記録媒体に記録する画像信号の記録フレームレートを検出する記録フレームレート検出手段と、外部から入力される上記タイムコードを記録するか、あるいは内部生成する上記タイムコードを記録するかの設定状態を検出するタイムコード記録モード検出手段と、外部からの上記タイムコードを入力するタイムコード入力手段と、上記タイムコードを内部生成するタイムコード生成手段と、上記記録フレームレート検出手段及びタイムコード記録モード検出手段の検出結果に基づいて、上記タイムコード入力手段又は上記タイムコード生成手段のいずれから上記タイムコードを供給するか選択するタイムコード選択手段と、上記タイムコード選択手段により選択されたタイムコードを上記画像信号に付加して上記記録媒体に記録する記録手段とを備え、第１の方式で撮影された画像信号をフレームレートが異なる第２の方式の画像信号に変換して上記記録媒体に記録する場合には、上記タイムコード選択手段は、上記タイムコード記録モード検出手段での検出結果にかかわらず、上記タイムコード生成手段からの上記タイムコードの供給を選択することを特徴とする。
本発明の画像記録装置は、第１の方式で撮影された画像信号を第２の方式に変換して記録媒体に記録する機能と、外部からタイムコードを入力し画像信号に付加して記録する機能とを有する画像記録装置であって、記録フレームレートを検出する記録フレームレート検出手段と、外部から入力される上記タイムコードを記録するか、あるいは内部生成する上記タイムコードを記録するかの設定状態を検出するタイムコード記録モード検出手段と、外部からの上記タイムコードを入力するタイムコード入力手段と、上記タイムコードを内部生成するタイムコード生成手段と、上記画像信号を上記記録媒体に記録する場合に、上記タイムコード生成手段により生成したタイムコード又は上記タイムコード入力手段により入力されたタイムコードのいずれかのタイムコードを選択するタイムコード選択手段と、上記タイムコード入力手段の入力動作を制御するタイムコード入力制御手段とを備えることを特徴とする。
本発明の画像記録装置は、毎秒６０フィールドの第１の画像信号と、毎秒２４フレームの画像信号を毎秒６０フィールドに変換して得た第２の画像信号とを生成する生成手段と、上記画像信号に付加して記録するタイムコードを発生するタイムコード発生手段と、外部から上記タイムコードを入力するタイムコード入力手段と、上記タイムコード発生手段により発生されたタイムコード又は上記タイムコード入力手段により入力されたタイムコードと、上記第１の画像信号又は上記第２の画像信号とをテープ状記録媒体に記録する記録手段と、上記第１の画像信号を記録する場合には上記タイムコード発生手段により発生されたタイムコードと上記タイムコード入力手段により入力されたタイムコードのうちの一方を前上記第１の画像信号とともに記録し、上記第２の画像信号を記録する場合には上記タイムコード入力手段により入力されたタイムコードの記録を禁止して上記タイムコード発生手段により発生されたタイムコードを上記第２の画像信号とともに記録するよう上記記録手段を制御する制御手段とを備えることを特徴とする。
本発明の画像記録方法は、画像信号にタイムコードを付加して記録媒体に記録する画像記録方法であって、記録媒体に記録する画像信号の記録フレームレートを検出する記録フレームレート検出工程と、外部から入力される上記タイムコードを記録するか、あるいは内部生成する上記タイムコードを記録するかの設定状態を検出するタイムコード記録モード検出工程と、上記記録フレームレート検出工程及びタイムコード記録モード検出工程の検出結果に基づいて、外部からの上記タイムコードを入力するタイムコード入力手段又は上記タイムコードを内部生成するタイムコード生成手段のいずれから上記タイムコードを供給するか選択するタイムコード選択工程と、上記タイムコード選択工程にて選択されたタイムコードを上記画像信号に付加して上記記録媒体に記録する記録工程とを有し、第１の方式で撮影された画像信号をフレームレートが異なる第２の方式の画像信号に変換して上記記録媒体に記録する場合には、上記タイムコード選択工程では、上記タイムコード記録モード検出工程での検出結果にかかわらず、上記タイムコード生成手段からの上記タイムコードの供給を選択することを特徴とする。
本発明のプログラムは、画像信号にタイムコードを付加して記録媒体に記録する画像記録処理をコンピュータに実行させるプログラムであって、記録媒体に記録する画像信号の記録フレームレートを検出する記録フレームレート検出ステップと、外部から入力される上記タイムコードを記録するか、あるいは内部生成する上記タイムコードを記録するかの設定状態を検出するタイムコード記録モード検出ステップと、上記記録フレームレート検出ステップ及びタイムコード記録モード検出ステップの検出結果に基づいて、外部からの上記タイムコードを入力するタイムコード入力手段又は上記タイムコードを内部生成するタイムコード生成手段のいずれから上記タイムコードを供給するか選択するタイムコード選択ステップと、上記タイムコード選択ステップにて選択されたタイムコードを上記画像信号に付加して上記記録媒体に記録する記録ステップとを有し、第１の方式で撮影された画像信号をフレームレートが異なる第２の方式の画像信号に変換して上記記録媒体に記録する場合には、上記タイムコード選択ステップでは、上記タイムコード記録モード検出ステップでの検出結果にかかわらず、上記タイムコード生成手段からの上記タイムコードの供給を選択することを特徴とする。
本発明のコンピュータ読み取り可能な記録媒体は、上記プログラムを記録したことを特徴とする。
【発明の効果】
【００１３】
本発明によれば、記録フレームレートの検出結果と、外部から入力されるタイムコードを記録するかあるいは内部生成するタイムコードを記録するかの設定状態の検出結果とに基づいて、タイムコード入力手段又はタイムコード生成手段のいずれからタイムコードを供給するか選択するタイムコード選択手段とを設ける。そして、第１の方式で撮影された画像信号をフレームレートが異なる第２の方式の画像信号に変換して記録媒体に記録する場合には、タイムコード選択手段は、上記設定状態の検出結果にかかわらず、タイムコード入力手段からのタイムコードの供給を強制的に禁止し、タイムコード生成手段からのタイムコードの供給を選択する。これにより、撮影された画像信号を撮影時とはフレームレートが異なる方式に変換して記録する場合に、以前に記録したシーンに新たなシーンをつなぎ記録する際、そのつなぎ部分の画像が壊れてしまうことを確実に防止することができる。
【発明を実施するための最良の形態】
【００１４】
以下、本発明の実施形態を図面に基づいて説明する。
なお、以下の説明では、本発明の一実施形態を適用したデジタルビデオカメラを一例として説明する。本実施形態におけるデジタルビデオカメラは、記録媒体である磁気テープに画像信号及び音声信号をデジタル的に記録する。例えば、本実施形態におけるデジタルビデオカメラは、記録フレームレートが２４Ｆｐｓ（Frame Per Second）方式で撮影された画像を、“２：３”プルダウン又は“２：３：３：２”プルダウンにより６０ｉ方式に変換してフレーム単位で圧縮し記録可能である。また、例えば本実施形態におけるデジタルビデオカメラは、画像信号に付加して記録媒体に記録されるタイムコードを外部機器から入力することが可能である。
【００１５】
図１は、本実施形態におけるデジタルビデオカメラの構成例を示すブロック図である。
図１において、１はレンズ、２はアイリス、３はＣＣＤイメージセンサ等の撮像素子、４はフレームレート設定に応じて、撮影された画像の画像データを生成するカメラ信号処理回路である。
【００１６】
５はＶＴＲ信号処理回路であり、記録時にはカメラ信号処理回路４からの画像データ及びタイムコード等の記録情報を記録フォーマットに適した形に変換して記録再生データ保存領域７に供給するための信号処理を行う。また、ＶＴＲ信号処理回路５は、再生時には記録再生データ保存領域７から供給される情報をデコードし、デコードして得られた画像データ及び付加情報を各制御ブロックに供給するための信号処理を行う。
【００１７】
６は各信号処理で利用されるメモリ（例えば、ＳＤＲＡＭ：Synchronous Dynamic Random Access Memory）であり、記録再生データ保存領域７及び表示画像保存領域８を有する。記録再生データ保存領域７には、ＶＴＲ信号処理回路５での信号処理により得られた磁気テープ１１に記録するための記録データが保存される。さらに、記録再生データ保存領域７には、記録再生回路９により磁気テープ１１上から読み込まれた再生データが保存される。表示画像保存領域８には、モニター出力として図示しないモニターや表示パネル１５に出力する画像データが保存される。
【００１８】
記録再生回路９は、ＶＴＲ信号処理回路５で生成され、記録再生データ保存領域７に保存された記録データを磁気テープ１１に記録する。また、記録再生回路９は、磁気テープ１１から再生データを読み込み記録再生データ保存領域７に保存する。１０は記録媒体である磁気テープ１１を動作させるために必要なメカデッキである。なお、本実施形態では磁気テープ１１を記録媒体の一例として示しているが、これに限定されるものではない。
【００１９】
１２は表示画像保存領域８に保存された画像データ（デジタルデータ）を図示しないモニターにアナログ出力するためのＤ／Ａコンバーター（デジタル−アナログ変換回路）である。１３は表示パネル１５に画像を表示するために、表示画像保存領域８に保存された画像データをＲＧＢ変換処理するためのＲＧＢ変換回路である。１４はＲＧＢ変換回路１３により処理された画像データを表示パネル１５にアナログ出力するためのＤ／Ａコンバータである。表示パネル１５は、Ｄ／Ａコンバータ１４より供給される画像信号に応じた画像を表示する。
【００２０】
１６はデジタルビデオ全体の動作を管理するマイコンである。マイコン１６は、操作情報検出制御回路１７、タイムコード記録モード検出回路１８、タイムコード選択回路１９、タイムコード生成回路２０、及びタイムコード入力制御回路２１を有する。さらに、マイコン１６は、記録フレームレート検出回路２４、記録フレームレート制御回路２５、及び表示画面制御回路２６を有する。
【００２１】
操作情報検出制御回路１７は、キー入力などのユーザーの操作に基づいて操作情報を生成し、生成した操作情報を各処理回路ブロックに適宜供給する。タイムコード記録モード検出回路１８は、操作情報検出制御回路１７からの操作情報より、内部生成されたタイムコードを記録するか、又は外部機器より入力されたタイムコードを記録するかの設定状態（モード情報）を検出する。
【００２２】
タイムコード選択回路１９は、タイムコード記録モード検出回路１８及び記録フレームレート検出回路２４から供給される情報に応じて内部タイムコード記録又は外部入力タイムコード記録を選択する。詳細には、タイムコード選択回路１９は、通常、タイムコード記録モード検出回路１８からの情報に基づいて内部タイムコード記録又は外部入力タイムコード記録を選択する。ただし、タイムコード選択回路１９は、記録フレームレート検出回路２４から供給される情報（検出結果）が２４Ｆプルダウン記録であった場合には、タイムコード記録モード検出回路１８からの情報にかかわらず、内部タイムコード記録を選択する。
【００２３】
タイムコード生成回路２０は、タイムコード選択回路１９により内部タイムコードを記録するモードが選択された場合には、タイムコードを生成してＶＴＲ信号処理回路５に供給する。タイムコード入力制御回路２１は、タイムコード選択回路１９により外部入力タイムコードを記録するモードが選択された場合には、タイムコード入力回路２２を入力状態に動作させる。タイムコード入力回路２２は、タイムコード出力機器２３より出力されるタイムコードをデコードしＶＴＲ信号処理回路５に供給する。
【００２４】
記録フレームレート検出回路２４は、操作情報検出制御回路１７からの操作情報より、画像信号の記録に係る設定状態（記録フレームレート情報）を検出する。記録フレームレート制御回路２５は、記録フレームレート検出回路２４により検出された記録フレームレート情報に応じてカメラ信号処理回路４の動作を制御する。
【００２５】
表示画面制御回路２６は、操作情報検出制御回路１７から供給される操作情報をユーザーに認識させるために、その操作情報に基づいて、モニター出力や表示パネル１５の表示画面に出力する表示情報を設定する。表示画面生成回路２７は、表示画面制御回路２６により設定された表示情報を基に表示画面情報（表示画面データ）を生成する。重畳回路２８は、表示画面生成回路２７により生成された表示画面情報と、記録あるいは再生される画像データとをミックスして、モニター出力や表示パネル１５に出力する表示画像データとして表示画像保存領域８に供給する。
【００２６】
本実施形態におけるデジタルビデオカメラにおいて、２４ｐ方式で撮影して得られる画像信号を６０ｉ方式の画像信号に変換（プルダウン）して記録する、すなわち２４Ｆプルダウン記録する場合について、図２〜図９を用いて説明する。
【００２７】
図２は、画像信号及び音声信号を磁気テープ１１に記録する際の１トラックあたりの記録データ構成を説明するための図である。ＳＤフォーマットにおける１トラックの記録エリアは、図２に示すように４つの領域３１、３２、３３、３４より構成される。ＩＴＩエリア３１はトラックの構成やスタートシンクなど記録再生に関する基本情報を格納する領域である。Ｖｉｄｅｏエリア３２は実画像データ及び画像に関する情報を格納する領域であり、Ａｕｄｉｏエリア３３は実音声データ及び音声に関する情報を格納する領域である。ＳｕｂＣｏｄｅエリア３４はタイムコードなどを格納する領域である。
【００２８】
図３は、記録フレームレート情報の格納領域（フィールド）及び格納内容を示す図である。この記録フレームレート情報は、図２に示したＶｉｄｅｏエリア３２に格納される。第１の領域ＰＣ０には、パックヘッダーアドレスが記録される。第２の領域ＰＣ１には、インターレース方式であるかプログレッシブ方式であるかを示すインターレース／プログレッシブ情報、及び記録開始／終了位置を示すフラグ情報が記録される。第３の領域ＰＣ２には、６０ｉ／３０ｐ／２４Ｆなどのフレームレートを示すフレームレート情報が記録される。第４の領域ＰＣ３には、２４Ｆプルダウン記録時に必要となるフレームシーケンス番号が記録される。第５の領域ＰＣ４には、上述した第１〜第４の領域ＰＣ０〜ＰＣ４に記録される情報に係る誤り検出符号（ＣｈｅｃｋＳｕｍ）が記録される。
【００２９】
図４は、各記録方式における記録フレームレート情報を説明するための図である。ここでは、２４Ｆ（２３３２プルダウン方式）記録、２４Ｆ（２３２３プルダウン方式）記録、及び６０ｉ記録時の記録フレームレート情報の詳細を説明する。
【００３０】
図４（Ａ）に示すように２４Ｆ（２３３２プルダウン方式）記録の場合には、連続する４つのフレームの第１及び第４のフレームの画像を２フィールド出力し、第２及び第３のフレームの画像を３フィールド出力するシーケンスを繰り返す。例えば、Ａフレームの画像を２フィールド（Ａｏ、Ａｅ）、Ｂフレームの画像を３フィールド（Ｂｏ、Ｂｅ、Ｂｏ）、Ｃフレームの画像を３フィールド（Ｃｅ、Ｃｏ、Ｃｅ）、Ｄフレームの画像を２フィールド（Ｄｏ、Ｄｅ）出力する。このシーケンスを連続する４つのフレームに関して繰り返す。これにより、２４フレームの画像が３０フレームにプルダウンされる。この場合、シーケンスＮｏ．（番号）は、Ａフレームの画像にＮｏ．０を割当て、それに続く画像に２フィールド（奇数フィールド及び偶数フィールド）を１組として順にＮｏ．４まで記録される。また、タイムコードは、シーケンスＮｏ．０に５の倍数のフレーム値（タイムコード、フレームの１桁目が“０”又は“５”）を記録している。
【００３１】
同様に、図４（Ｂ）に示すように２４Ｆ（２３２３プルダウン方式）記録の場合には、連続する４つのフレームの第１及び第３のフレームの画像を２フィールド出力し、第２及び第４のフレームの画像を３フィールド出力するシーケンスを繰り返す。例えば、Ａフレームの画像を２フィールド（Ａｏ、Ａｅ）、Ｂフレームの画像を３フィールド（Ｂｏ、Ｂｅ、Ｂｏ）、Ｃフレームの画像を２フィールド（Ｃｅ、Ｃｏ）、Ｄフレームの画像を３フィールド（Ｄｅ、Ｄｏ、Ｄｅ）出力する。このシーケンスを繰り返すことで２４フレームの画像を３０フレームにプルダウンしている。なお、シーケンスＮｏ．及びタイムコードの記録に関しては、２４Ｆ（２３３２プルダウン方式）と同様であるので、説明は省略する。
【００３２】
図４（Ｃ）に示すように６０ｉ記録の場合には、各フレーム画像を２フィールドずつ出力する。ここで、シーケンスＮｏ．及びタイムコードに関しては、２４Ｆプルダウン記録のような記録条件がないため、任意の値を記録することができる。
【００３３】
次に、本実施形態におけるデジタルビデオカメラでの２４Ｆプルダウン記録におけるつなぎ記録について説明する。つなぎ記録は、すでに記録されたシーンに対して新たにシーンを記録する場合に、画像及びタイムコードを連続させて記録する動作である。
【００３４】
２４Ｆプルダウン記録モードにてつなぎ記録を行う場合、図５に示すように前に記録されたシーンにおけるシーケンスＮｏ．４の画像（フィールド）の後に、次に記録するシーンにおけるシーケンスＮｏ．０の画像（フィールド）が記録されなければならない。このようにして記録しなければ、つなぎ部分の画像が壊れた画像（前シーンのフィールドと次シーンのフィールドでフレームが構成される等）として記録される。
【００３５】
しかし、図６に示すように記録処理における記録助走（実際の記録動作前に行われる準備動作）時において、図２に示したＶｉｄｅｏエリア３２は書き込み（Write）状態となる。したがって、Ｖｉｄｅｏエリア３２に記録されている記録フレームレート情報（図３参照。）が読み込めないため、シーケンスＮｏ．に基づいて２４Ｆプルダウン記録でのつなぎ記録を行うことができない。このような条件において、２４Ｆプルダウン記録でのつなぎ記録を実現するためには、シーケンスＮｏ．０にタイムコードのフレーム値“５”又は“０”を割り当てるように、シーケンスＮｏ．とタイムコードとの位相を合わせて記録する。この処理を画像信号の記録時に行い、記録助走時に読み出し（Read）状態であるタイムコードを５の倍数の場合でつなぐことで、シーケンスＮｏ．に関してもＮｏ．４のあとにＮｏ．０をつなぐことが可能となる。
【００３６】
図６は、記録処理の記録助走時及び実際の記録時におけるトラックの各エリアの状態を示す図である。記録処理における記録助走時には、ＩＴＩエリア３１及びＳｕｂＣｏｄｅエリア３４は読み出し（Read）状態となり、Ｖｉｄｅｏエリア３２及びＡｕｄｉｏエリア３３は書き込み（Write）状態となる。また、記録処理における実際の記録時には、ＩＴＩエリア３１、Ｖｉｄｅｏエリア３２、Ａｕｄｉｏエリア３３、及びＳｕｂＣｏｄｅエリア３４のすべての記録エリアは書き込み（Write）状態になる。
【００３７】
図７は、本実施形態における２４Ｆプルダウン記録でのつなぎ記録に係る処理を示すフローチャートであり、記録処理時に必要となる画像とタイムコードの位相ロック制御に関する処理を示している。
【００３８】
まず、マイコン１６は、ＶＴＲ信号処理回路５より、記録助走時にカメラ信号処理回路４より供給される画像シーケンス情報を取得し（Ｓ７１）、取得した画像シーケンス情報より画像シーケンスＮｏ．０を検出する（Ｓ７２）。次に、マイコン１６は、ＶＴＲ信号処理回路５が画像信号に付加して記録するタイムコードを、シーケンスＮｏ．０にタイムコードのフレーム値“０”又は“５”を割り当てるように設定する（Ｓ７３）。なお、タイムコードは、２４Ｆプルダウン記録時には後述するようにタイムコード生成回路２０により生成されるタイムコードがＶＴＲ信号処理回路５に供給される。
【００３９】
次に、記録助走動作を開始すると（Ｓ７４）、マイコン１６は、ＶＴＲ信号処理回路５より供給される情報を受け、図２に示したＳｕｂＣｏｄｅエリア３４よりタイムコード（ＲｅａｄＴＴＣ）を読み出す（Ｓ７５）。続いて、マイコン１６は、読み込んだＲｅａｄＴＴＣからそのフレーム値が（５ｎ−１）（ｎは自然数）となる部分を検出する（Ｓ７６）。マイコン１６は、ＶＴＲ信号処理回路５により記録するタイムコード（ＷｒｉｔｅＴＴＣ）の５の倍数（５ｍ）（ｍは０以上の整数）の値をＲｅａｄＴＴＣのフレーム値が（５ｎ−１）となる部分の次の位置から画像データとともに書き込ませ、記録開始する（Ｓ７７）。
【００４０】
以上のような一連の処理を行うことで、本実施形態においては、２４Ｆプルダウン記録時につなぎ部分の画像を壊すことなくつなぎ記録を行うことができる。
【００４１】
上述した図７では、前シーンのタイムコードに位相をロックさせて次シーンのタイムコードをつなげることで、つなぎ部分におけるタイムコードを整合させ、２４Ｆプルダウン記録にて画像シーケンスを壊すことなく画像信号を記録できることを説明した。しかし、タイムコード入力回路２２を介して外部機器よりタイムコードが入力される外部タイムコード入力モードでは、書き込みタイムコードを画像シーケンスＮｏ．にロックさせることができないため、つなぎ部分の画像が壊れることとなる。
【００４２】
そこで、本実施形態におけるデジタルビデオカメラは、図８に示すタイムコード選択処理を実行する。このタイムコード選択処理により、２４Ｆプルダウン記録時にはタイムコード入力回路２２を介した外部機器からのタイムコードの入力を禁止することで、２４Ｆプルダウン記録でのつなぎ部分の画像破壊を確実に回避することが可能になる。
【００４３】
図８は、本実施形態におけるタイムコード選択処理を示すフローチャートである。
上述したように、マイコン１６内の操作情報検出制御回路１７は、ユーザー操作等に応じた設定状態を示す操作情報を生成し、生成した操作情報をマイコン１６内の各回路に適宜供給している。タイムコード選択処理では、まずタイムコード記録モード検出回路１８は、操作情報検出制御回路１７からの操作情報を基に、タイムコード記録モードの設定状態が画像信号に外部入力タイムコードを付加して記録するモードであるか否かを検出する（Ｓ８１）。
【００４４】
その結果、設定されている状態が外部入力タイムコードを記録するモードである場合には、検出結果を受けたタイムコード選択回路１９は、記録フレームレートが２４Ｆプルダウン方式であるか否かを判断する（Ｓ８２）。この判断は、記録フレームレート検出回路２４が操作情報検出制御回路１７からの操作情報を基に記録フレームレートを検出し、記録フレームレート検出回路２４から供給される検出結果に基づいて行われる。
【００４５】
ステップＳ８１及びＳ８２による処理の結果、設定が外部入力タイムコードを記録するモードで、かつ２４Ｆプルダウン記録である場合には、タイムコード選択回路１９は、内部タイムコードを画像信号に付加して記録するように切り換える（Ｓ８３）。
【００４６】
ステップＳ８３での処理を行った後、あるいはステップＳ８１において外部入力タイムコードを記録するモードでないと検出された場合には、タイムコード選択回路１９は、タイムコード生成回路２０を起動させる（Ｓ８４）。また、タイムコード選択回路１９は、タイムコード入力制御回路２１に指示を出力し、タイムコード入力制御回路２１は、当該指示に従ってタイムコード入力回路２２の動作を停止させる（Ｓ８５）。
【００４７】
続いて、マイコン１６は、上述した図５〜図７を参照して説明した手順でタイムコード生成回路２０により生成され供給されたタイムコードを、画像信号に付加してＶＴＲ信号処理回路５により記録再生データ保存領域７に書き込む（Ｓ８６）。そして、記録再生回路９は、記録再生データ保存領域７に書き込まれた画像信号及びそれに付加するタイムコードを、記録媒体である磁気テープ１１に記録する（Ｓ８７）。
【００４８】
以上のように、２４Ｆプルダウン記録である場合には、タイムコード入力回路２２を介したタイムコードの入力を強制的に禁止し、設定状態にかかわらずタイムコード生成回路２０により内部生成するタイムコードを画像信号に付加して記録する。これにより、２４Ｆプルダウン記録でのつなぎ記録において、つなぎ部分の画像破壊を確実に防止することができる。
【００４９】
なお、ステップＳ８１及びＳ８２による処理の結果、設定が外部入力タイムコードを記録するモードであるが２４Ｆプルダウン記録でない場合には、図８において詳細は図示していないが以下の処理が行われる。マイコン１６は、ＶＴＲ信号処理回路５により、タイムコード入力回路２２を介してタイムコード出力機器（外部機器）２３より入力されるタイムコードを画像信号に付加して記録再生データ保存領域７に書き込む。そして、記録再生回路９は、記録再生データ保存領域７に書き込まれた画像信号及びそれに付加するタイムコードを、記録媒体である磁気テープ１１に記録する。
【００５０】
図９は、図８に示したタイムコード選択処理に係るタイムコード入力方式設定画面の一例を示す図である。表示画面制御回路２６は、操作情報検出制御回路１７からの操作情報に基づいて、設定されているタイムコード記録モード及び記録フレームレートを検出し、その検出結果に応じて表示画面に出力する表示情報を設定する。
【００５１】
例えば、表示画面制御回路２６は、設定されている記録フレームレートが２４Ｆプルダウン記録方式でない場合には、表示画面９１に示すように内部タイムコード記録（「内部入力」）及び外部入力タイムコード記録（「外部入力」）を選択可能な表示情報を設定する。このとき、設定されている、あるいは選択したタイムコード記録モードが認識可能なようにカーソルが合わせて表示される。
【００５２】
また、例えば、表示画面制御回路２６は、設定されている記録フレームレートが２４Ｆプルダウン記録方式である場合には、表示画面９２に示すように外部入力タイムコード記録（「外部入力」）を選択不可能であることを示す表示情報を設定する。また、「外部入力」へのカーソル移動を禁止させる。
【００５３】
この表示画面制御回路２６により設定された表示情報に基づいて、表示画面生成回路２７が表示情報に係る表示画面情報（表示画面データ）を生成する。生成された表示画面情報は、重畳回路２８により記録再生画像に重畳されてモニターや表示パネル１５に出画される。
【００５４】
このように記録フレームレートが２４Ｆプルダウン記録方式に設定されている場合には、外部入力タイムコードを記録するモードに移行できないような表示画面を実現させることで、外部からのタイムコードの入力が禁止状態であることをユーザーに認識させユーザーの誤操作を防止することができる。
【００５５】
なお、上述した説明では、２４ｐ方式で撮影して得られる画像信号を６０ｉ方式の画像信号に変換して記録する場合を一例として説明したが、これに限定されるものではない。４フレームの２４ｐ方式の画像から５フレームの３０ｐ方式の画像を生成することにより、２４ｐ方式で撮影して得られる画像信号を３０ｐ方式の画像信号に変換して記録する場合にも本発明は適用可能である。
【００５６】
（本発明の他の実施形態）
前述した実施形態の機能を実現するべく各種のデバイスを動作させるように、前記各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
また、この場合、前記ソフトウェアのプログラムコード自体が前述した実施形態の機能を実現することになり、そのプログラムコード自体は本発明を構成する。また、そのプログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれることは言うまでもない。
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれることは言うまでもない。
【００５７】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５８】
【図１】本発明の実施形態におけるデジタルビデオカメラの構成例を示す図である。
【図２】１トラックの記録エリア構成を示す図である。
【図３】記録フレーム情報のフィールド及び格納内容を示す図である。
【図４】各記録方式における記録フレーム情報を説明するための図である。
【図５】２４Ｆプルダウン記録方式でのつなぎ記録を説明するための図である。
【図６】記録助走時及び記録時におけるトラックの各エリアの状態を示す図である。
【図７】２４Ｆプルダウン記録方式でのつなぎ記録動作を示すフローチャートである。
【図８】本実施形態におけるタイムコード選択処理を示すフローチャートである。
【図９】タイムコード入力方式設定画面の一例を示す図である。
【符号の説明】
【００５９】
４  カメラ信号処理回路
５  ＶＴＲ信号処理回路
９  記録再生回路
１１  磁気テープ
１６  マイコン
１７  操作情報検出制御回路
１８  タイムコード記録モード検出回路
１９  タイムコード選択回路
２０  タイムコード生成回路
２１  タイムコード入力制御回路
２２  タイムコード入力回路
２３  タイムコード出力機器
２４  記録フレームレート検出回路
２５  記録フレームレート制御回路
２６  表示画面制御回路
２７  表示画面生成回路
２８  重畳回路
【図１】
2007067953.tif 000003
【図２】
2007067953.tif 000004
【図３】
2007067953.tif 000005
【図４】
2007067953.tif 000006
【図５】
2007067953.tif 000007
【図６】
2007067953.tif 000008
【図７】
2007067953.tif 000009
【図８】
2007067953.tif 000010
【図９】
2007067953.tif 000011